(57)【要約】      （修正有）【課題】簡単な操作で得られる活着率の良好な接ぎ木の提供。【解決手段】以下の構成からなる接ぎ木とする。（１）金属性の薄板を折り曲げて、略杓文字の輪郭形状に加工した切断刃により、台木及び接ぎ穂を、前記杓文字輪郭形状の頂部が、前記台木又は接ぎ穂の長手方向に位置するように切断し、台木から形成される凸型切片１２と接ぎ穂から形成される凹型切片１１、又は台木から形成される凹型切片と接ぎ穂から形成される凸型切片とをそれぞれ嵌合させることにより、台木と接ぎ穂の接合部分の面積を拡大したことを特徴とする。（２）前記嵌合部分に蜜蝋が塗布されて、前記嵌合部分が固定されている。（３）前記嵌合部分に蜜蝋とベンガラの混合物が塗布されて、前記嵌合部分が固定されている。【選択図】図６
0003200375.tif 000002
【実用新案登録請求の範囲】
【請求項１】
金属性の薄板を折り曲げて、略杓文字の輪郭形状に加工した切断刃により、台木及び接ぎ穂を、前記杓文字輪郭形状の頂部が、前記台木又は接ぎ穂の長手方向に位置するように切断し、台木から形成される凸型切片Ａと接ぎ穂から形成される凹型切片ｂ、又は台木から形成される凹型切片ａと接ぎ穂から形成される凸型切片Ｂとをそれぞれ嵌合させることにより、台木と接ぎ穂の接合部分の面積を拡大したことを特徴とする接ぎ木。
【請求項２】
切断刃の材質が、特殊鋼−ＳＫ８５である請求項１に記載する接ぎ木。
【請求項３】
切断刃の材質が、下記の処理を施した特殊鋼（ＳＫ８５）である請求項２に記載する接ぎ木。
（ａ）焼入：８２０℃，２分
（ｂ）焼入戻用冷却オイル：１分
（ｃ）焼戻し：２００℃，３分
【請求項４】
嵌合部分に蜜蝋が塗布されて、前記嵌合部分が固定されている請求項１に記載する接ぎ木。
【請求項５】
嵌合部分に蜜蝋とベンガラの混合物が塗布されて、前記嵌合部分が固定されている請求項１に記載する接ぎ木。
【請求項６】
蜜蝋とベンガラの配合比（重量）が、（８５〜９５）：（１５〜５）である請求項５に記載する接ぎ木。
【請求項７】
６５℃〜７５℃で溶融させた蜜蝋を使用する請求項４〜請求項６のいずれかに記載する接ぎ木。
【請求項８】
接ぎ木がぶどう、又は桃である請求項１〜請求項７のいずれかに記載する接ぎ木。
【考案の詳細な説明】
【技術分野】
【０００１】
この考案は、活着率の良好な接ぎ木に関する。
更に詳しくは、台木と接ぎ穂の接合部分の面積を拡大して両者の接合状態を確実・強固にすると共に、その周囲から接合部分に侵入する有害菌を殺し、又はその増殖を抑制することによって、活着率を向上させた接ぎ木に関するものである。
【背景技術】
【０００２】
一般に、果物や野菜の栽培には、しばしば接ぎ木（苗）が広く用いられている。その理由は品質や収量が良好でありかつ病害に対する耐性が高いからである。
かかる接ぎ木（苗）は、例えば、まず所望の品種の果物や野菜の苗（穂木苗）を茎部で切断し、根が付いていない方の切断片を穂木として確保し、他方、土壌病害等に対する耐性が高い同品種又は異品種の果物や野菜苗（台木苗）を茎部で切断し、根が付いた方の切断片を台木として確保した後、両者を接合（接着）し、接いだ部分に接ぎ木テープを巻き、固定して作製される。
【先行技術文献】
【特許文献】
【０００３】
（イ）特開２００２−１８０６０９
（ロ）特開２０１０−１６６８７７
【考案の概要】
【考案が解決しようとする課題】
【０００４】
しかしながら、従来の接ぎ木(苗)には下記の問題点があって、活着率と作業性の低下を招いていた。
（１）接着(切断)面積が小さく、かつ接着強度が小さいこと。
（２）接着面の細菌汚染を確実に防止する手段がとられていないこと。
（３）接着部分の固定化と外気の遮断（細菌の侵入防止）を目的として、接着部分に接ぎ木テープを巻く作業（操作）が、両手を使うと共にかなりの熟練と作業時間を要すること。
【課題を解決するための手段】
【０００５】
本願考案は、以上の問題点を解決するためになされたもので、下記の請求項１〜請求項８により構成されている。
＜請求項１＞  金属性の薄板を折り曲げて、略杓文字の輪郭形状に加工した切断刃により、台木及び接ぎ穂を、前記杓文字輪郭形状の頂部が、前記台木又は接ぎ穂の長手方向に位置するように切断し、台木から形成される凸型切片Ａと接ぎ穂から形成される凹型切片ｂ、又は台木から形成される凹型切片ａと接ぎ穂から形成される凸型切片Ｂとをそれぞれ嵌合させることにより、台木と接ぎ穂の接合部分の面積を拡大したことを特徴とする接ぎ木。
＜請求項２＞  切断刃の材質が、特殊鋼−ＳＫ８５である請求項１に記載する接ぎ木。
＜請求項３＞  切断刃の材質が、下記の処理を施した特殊鋼（ＳＫ８５）である請求項２に記載する接ぎ木。
（ａ）焼入：８２０℃，２分
（ｂ）焼入戻用冷却オイル：１分
（ｃ）焼戻し：２００℃，３分
＜請求項４＞  嵌合部分に蜜蝋が塗布されて、前記嵌合部分が固定されている請求項１に記載する接ぎ木。
＜請求項５＞  嵌合部分に蜜蝋とベンガラの混合物が塗布されて、前記嵌合部分が固定されている請求項１に記載する接ぎ木。
＜請求項６＞  蜜蝋とベンガラの配合比（重量）が、（８５〜９５）：（１５〜５）である請求項５に記載する接ぎ木。
＜請求項７＞  ６５℃〜７５℃で溶融させた蜜蝋を使用する請求項４〜請求項６のいずれかに記載する接ぎ木。
＜請求項８＞  接ぎ木がぶどう、又は桃である請求項１〜請求項７のいずれかに記載する接ぎ木。
【考案の効果】
【０００６】
本願考案を以上のように構成する理由は下記のとおりである。
（イ）請求項１に記載する略杓文字形状に加工した切断刃により、台木及び接ぎ穂を切断すれば、接合部分の面積が拡大され、しかも密着性の良い凹凸に加工された台木及び接ぎ穂を、２対同時に作製することができる。
（ロ）前記杓文字形状に、必要に応じて多少の変形を加えれば、ジグソーパズルの嵌合部分の形状や、「腰掛け蟻継ぎ」（大工用語）嵌合部分の形状等、所望の凸型切片及び凹型切片を製作することができる。
（ハ）従来の台木及び接ぎ穂の接合部分に比較して、接着(嵌合)面積が大幅に拡大し、両者が強固に嵌合するので活着性を格段に向上させることができる。
（ニ）一方、外皮の保護のない接着（カット）面積の増加は、細菌の感染や水分の蒸散を引き起こす恐れがあるが、これに対しては、強力な抗菌性を有する蜜蝋、叉は蜜蝋とベンガラ（Ｆｅ２Ｏ３）の混合物を塗布することにより、密着性が増し、接合部分を大気から完全に遮断することができるので、幼木期の細菌感染率を大きく下げることが可能となり、活着率が大幅にアップする。
（ホ）蜜蝋、又は蜜蝋とベンガラの混合物の塗布は、これらを塗布するだけで接合部分を密閉し、水分の蒸散を防ぎ、接合部分を補強し、強固に固定化することができる。したがって、従来の接ぎ木カッターを用いた接合方法には不可欠の接ぎ木テープを巻く必要がなく、作業の効率化を十分に達成することができる。
（へ）蜜蝋は、十分な殺菌・静菌効果を有し、しかも天然物であるので環境汚染を引き起こすことがない。
（ト）蜜蝋は、６５℃〜７５℃で溶融させて塗布すると、作業性がよく、接ぎ木への損傷がない。
（チ）蜜蝋とベンガラの配合比は、重量で（８５〜９５）：（１５〜５）の範囲が、密封性及び抗(殺)菌性に優れ、かつ接ぎ木へ塗布した後の接合部分の強度を十分に維持することができる。
【図面の簡単な説明】
【０００７】
【図１】切断刃（カッター）の全体を示す図である。
【図２】切断装置の全体を示す図である。
【図３】切断刃を切断装置に装着した図である。
【図４】苗木を切断した直後を示す概念図である。
【図５】苗木を切断した後、凸型切片と凹型切片に分離した状態を示す概念図である。
【図６】切断刃で切断されて切り離された台木（凹型）と接ぎ穂（凸型）を嵌合する前の状態を示す斜視図である。
【図７】台木と接ぎ穂を嵌合した斜視図である。
【図８】台木と接ぎ穂を嵌合した接ぎ木に蜜蝋、又は蜜蝋とベンガラの混合物を塗布した斜視図である。
【図９】黄色ぶどう球菌の検出状態を示す図である。                            写真−１  黄色ぶどう球菌  接種直後  無加工（洗い出し液１ｍＬ）              写真−２  黄色ぶどう球菌  ２４時間後  検体１（洗い出し液１ｍＬ）
【図１０】黄色ぶどう球菌の検出状態を示す図である。                          写真−３  黄色ぶどう球菌  ２４時間後  検体２（洗い出し液１ｍＬ）            写真−４  黄色ぶどう球菌  ２４時間後  無加工（洗い出し液１ｍＬ）
【図１１】大腸菌の検出状態を示す図である。                                  写真−５  大腸菌  接種直後  無加工（洗い出し液１ｍＬ）                      写真−６  大腸菌  ２４時間後  検体１（洗い出し液１ｍＬ）
【図１２】大腸菌の検出状態を示す図である。                                  写真−７  大腸菌  ２４時間後  検体２（洗い出し液１ｍＬ）                    写真−８  大腸菌  ２４時間後  無加工（洗い出し液１ｍＬ）
【考案を実施するための形態】
【０００８】
次に、本考案の実施例を図面により詳細に説明する。
なお、以下の実施例の接ぎ木は、「枯れ接ぎ」と称されるものである。
「枯れ接ぎ」は、ブドウの芽も根もない状態の枝木（枯れているようにみえる）を台木と接ぎ穂として用い、主に晩秋から春先のブドウの休眠期に行うもので、芽と根は同じ部位（木の節）で、土中に埋めることによって発根し根となり、土より出ている部分は芽となる。
【実施例１】
【０００９】
（１）図１は、本考案の台木１１又は穂木１２を切断するための切断刃Ａ（カッター）の全体を示す斜視図である。この切断刃Ａは、金属性の薄板を折り曲げて、略杓文字の輪郭形状に加工して製作した。
切断刃Ａの材質は、特殊鋼（ＳＫ−８５）が好ましく、特に（ａ）焼入：８２０℃，２分，（ｂ）焼入戻用冷却オイル：１分，（ｃ）焼戻し：２００℃，３分処理を行うものが適している。
（２）この切断刃Ａを切断装置に装着し（図２参照）、前記切断装置の湾曲部Ｂ上に切断用ブドウ接ぎ木（台木用苗、又は接ぎ穂用苗）を置き切断刃Ａを押し下げて、苗（接ぎ木）を切断する(図３参照)。
苗木を切断した状態と、切断後、凸型切片１２と凹型切片１１に分割した状態を示す概念図を図４及び図５に示す。
（３）前記ブドウ接ぎ木（台木用苗、又は接ぎ穂用苗）を、実際に切断して得られる凹型切片１１と前記接ぎ穂苗を切断して得られる凸型切片１２（図６参照）を嵌合させて、目的する接ぎ木を得た（図７参照）。
本考案においては、以上のように凹型切片台木１１に凸型切片１２を嵌合させるので、接着面積は拡大し、嵌合部１３はしっかりと固定化される（図７参照）。
なお、前記嵌合させる組み合わせは、台木用苗を切断して得られる凸型切片と、前記接ぎ穂苗を切断して得られる凹型切片の場合もある。
（４）図７に示した接ぎ木は、そのまま、又は嵌合部１３に、従来から使用されている接ぎ木テープ巻いて、接ぎ木として使用した。
【実施例２】
【００１０】
（１）前記実施例１，（３）と同様にして製作したブドウの接ぎ木（凹型切片台木１１に凸型切片接ぎ穂１２を嵌合させたもの）の嵌合部１３に蜜蝋１４を塗布した（図８参照）。
なお、蜜蝋は半透明で白色を呈していた。
（２）蜜蝋の塗布方法は、湯煎を用い７０±５℃で溶解した蜜蝋槽に接合部分を1〜３秒間漬けて直ちに取り出し、外気で冷まして凝固させる方法を用いた。
以上の温度条件から外れると、蜜蝋の溶解が不十分であったり、蜜蝋の殺菌効力が減少したり、又は接ぎ木の耐熱限度を超えたりする不都合が生ずる。
（３）以上に記載した嵌合部に蜜蝋を塗布した接ぎ木は、実施例１により得られる接ぎ木に比較して、嵌合部１３がよりしっかりと固定され、嵌合部１３への細菌の侵入による腐敗も少なく活着率が向上した。
（４）蜜蝋は、嵌合部１３への細菌の侵入を阻止するために、嵌合部１３近辺のみではなく、比較的広範囲に塗布する方が好ましい。
【実施例３】
【００１１】
（１）前記実施例１，（３）と同様にして製作したブドウの接ぎ木（凹型切片台木１１に凸型切片穂木１２を嵌合させたもの）の嵌合部１３に、蜜蝋とベンガラ（Ｆｅ２Ｏ３）の混合物１４を、前記実施例２，（２）と同様の条件で塗布した（図８参照）。
なお、ベンガラは赤色の塗料であり、蜜蝋と混合しても全体の赤色は変わらない。
（２）蜜蝋とベンガラの配合比（重量）は、（８５〜９５）：（１５〜５）の範囲が、効果と作業性の点で良好であった。
（３）以上に記載した嵌合部に蜜蝋とベンガラの混合物を塗布した接ぎ木は、実施例２により得られる接ぎ木に比較して、さらに一段と嵌合部１３がよりしっかりと固定され、嵌合部１３への細菌の侵入による腐敗も少なく、更に活着率が向上した。
【００１２】
以上、本考案の実施例においては、ブドウの「枯れ接ぎ」を例にして説明したが、他の果物及び野菜にも同様に適用することができる。
【００１３】
次に、前記実施例２及び実施例３に使用した蜜蝋、及び蜜蝋とベンガラの混合物について、一般財団法人日本食品分析センターに依頼して抗菌力を試験したので、その結果を示す。
以下の試験結果に記載されている「２  検体  １，接木蝋（抗菌加工品）」とは、実施例３で使用した「蜜蝋とベンガラの混合物」であり、「２  検体  ２，蜜蝋（未加工品）」とは、実施例２及び実施例３で使用した「蜜蝋」である。
下記の試験結果には、「抗菌効果：２」以上であることが明確に示されているから、「蜜蝋」と「蜜蝋とベンガラの混合物」」は、本願考案に係る接ぎ木の活着率の向上に寄与していることが認められる。
【００１４】
【表１】
0003200375.tif 000003
【００１５】
【表２】
0003200375.tif 000004
【００１６】
【表３】
0003200375.tif 000005
【産業上の利用可能性】
【００１７】
本願考案を実施すれば、必ずしも製作者の熟練を必要とすることなく、活着性の良好な接ぎ木が極めて簡単な操作（手順）で得られるので、産業上の利用可能性が大きい。
【符号の説明】
【００１８】
Ａ．切断刃（カッター）
Ｂ．湾曲部
Ｃ．刃(エッジ)
Ｄ．固定孔
１１．台木
１２．穂木
１３．嵌合部
１４．蜜蝋，又は蜜蝋とベンガラの混合物の塗布膜
１５．芽
【図４】
0003200375.tif 000006
【図５】
0003200375.tif 000007
【図６】
0003200375.tif 000008
【図７】
0003200375.tif 000009
【図８】
0003200375.tif 000010
【図１】
0003200375.tif 000011
【図２】
0003200375.tif 000012
【図３】
0003200375.tif 000013
【図９】
0003200375.tif 000014
【図１０】
0003200375.tif 000015
【図１１】
0003200375.tif 000016
【図１２】
0003200375.tif 000017